(57)【要約】【課題】綿棒で被検体を採取したのちにこれを収納して当該被検体を検査もしくは測定する等に用いる新規の検体用容器を提供する。【解決手段】本発明に係る検体用容器は、試験管形状とされた容器本体と、当該容器本体の開口に着脱可能に取付けられるキャップ部と、キャップの内面に設けられた、開口縁に向うに従って径が大きくなる錐形状の案内凹部と、案内凹部の底面に設けられた綿棒の軸棒外端をキャッチするキャッチ部と、これ等案内凹部、キャッチ部間に設けられた案内凹部からキャッチ部に綿棒の軸棒外端を滑り込ませる滑り面とを備えたことを特徴とするものである。【選択図】        図１
2004194539.tif 000002
【特許請求の範囲】
【請求項１】
試験管形状とされた容器本体と、当該容器本体の開口に着脱可能に取付けられて容器本体の開口部を閉塞しうるキャップ部とを備え、上記キャップ部には、容器本体内に綿棒が挿入された場合に、当該綿棒の後端部を把持しうる把持部を備えたことを特徴とする検体用容器。
【請求項２】
上記把持部は、キャップ部の内面に設けられた開口縁に向うに従って径が大きくなる錐形状の案内凹部と、案内凹部の底面に設けられた綿棒の軸棒後端部をキャッチするキャッチ部と、これ等案内凹部、キャッチ部間に設けられ、案内凹部からキャッチ部に綿棒の軸棒後端部を滑り込ませる滑り面とを備えたことを特徴とする検体用容器。
【請求項３】
上記キャップ部は、当該キャップ部および容器本体に設けられた雌雄のネジにより着脱できるように形成されたことを特徴とする請求項１または２記載の検体用容器。
【発明の詳細な説明】
【０００１】
【発明が属する技術分野】
本発明は、綿棒で被検体を採取したのちにこれを収納して当該被検体を検査もしくは測定する等に用いるための検体用容器に関する。
【０００２】
【従来の技術】
従来、この種の検体用容器として、綿棒とキャップ部とを予め一体とした菌採取具を使用する形式のものは知られている（特許文献１参照）。
【０００３】
【特許文献１】
登録実用第３０５３６８４号公報
【０００４】
上記従来の技術において述べた形式の検体用容器は、これとセットで使用する菌採取具がキャップ部および綿棒の一体型であったために、▲１▼被検体採取操作が失敗した場合にはキャップ部および綿棒一体型の菌採取具全体を廃棄せざるを得ない、▲２▼軸棒の長い綿棒のものは、当該軸棒の長さに適合する深さの試験管形状容器本体を合成樹脂成形で量産することが技術的に困難であったために、実施されていない、▲３▼検体用容器は煮沸消毒等の加温消毒の場合に、往々に所謂キャップ部が外れ飛んでしまう事故を惹起する、というような問題点があった。
【０００５】
【発明が解決しようとする課題】
本発明は、上記諸問題点を解消するのに好適な新規の検体用容器を提供することを目的とするものである。
【０００６】
【課題を解決するための手段】
上記目的を達成するために本発明に係る検体用容器は、試験管形状とされた容器本体と、当該容器本体の開口に着脱可能に取付けられて容器本体の開口部を閉塞しうるキャップ部とを備え、上記キャップ部には、容器本体内に綿棒が挿入された場合に、当該綿棒の後端部を把持しうる把持部を備えたものである。
【０００７】
そして、上記把持部は、キャップ部の内面に設けられた開口縁に向うに従って径が大きくなる錐形状の案内凹部と、案内凹部の底面に設けられた綿棒の軸棒後端部をキャッチするキャッチ部と、これ等案内凹部、キャッチ部間に設けられ、案内凹部からキャッチ部に綿棒の軸棒後端部を滑り込ませる滑り面とを備えたものである。
【０００８】
さらに、上記キャップ部は、当該キャップ部および容器本体に設けられた雌雄のネジにより着脱できるように形成されたものである。
【０００９】
【実施例】
図に示す実施例は、透明のポリプロピレン（Ｐ.Ｐ）を以て構成された丸底の試験管状容器本体１と、有色のポリプロピレン（Ｐ.Ｐ）を以て構成されたキャップ部２とからなり、このキャップ部２はこれ等容器本体１、キャップ部２に設けられた雌雄のネジ３、４により着脱できるように構成されているものである。雌雄のネジによらない構成でも実施することができる。
【００１０】
上記キャップ部２は、閉蓋時に容器本体１の底の方に向うに従って径が大きくなる錐形状の案内凹部５が内面に設けられ、この案内凹部５の底面に綿棒６の軸棒７の後端部をキャッチするキャッチ部８が設けられると共に、これ等案内凹部５、キャッチ部８間に案内凹部５からキャッチ部８へ綿棒６の軸棒７の後端部を滑り込ませる滑り面９が設けられているものである。
【００１１】
図に示すキャッチ部８は、複数本のリブ状部１０を周面に設けることで構成されているが、他の構成、例えば図５に示すようにパイプ状部１４にスリ割１５を入れた構成もしくは図６に示すようにパイプ状部１４のみの構成としたものでも任意に実施することが可能であり、これ等にも本発明は及ぶものである。
【００１２】
本発明に係る検体用容器は、通常、所定の長さの綿棒を付属品として用意された状態で使用される。若しくは図１に示すような、予め設けられた折線１２のところで綿棒６の余剰端部１３を折り除いて所定の長さとした状態で使用される形式のものが使用できる。後者は余剰端１３がある分、深い場所の検体を採取できて便利である。
【００１３】
【作用】
まず、キャップ部２を外して容器本体１内に試薬もしくは培地（いずれも図示せず）を入れる。この場合、前以て予め入れておいてもよい。次いで、綿棒６で被検体（図示せず）を採取し、この採取後に当該被検体付着綿棒６を容器本体１内に投入してからキャップ部２を閉める。このようにして当該被検体の採取を完了する。
【００１４】
そして、上記菌採取操作後のキャップ部２による容器本体１の閉塞操作のときには、上記の被検体付着綿棒６の外端が、案内凹部５の周面および滑り面９により案内され且つ雌雄ネジ３、４の螺入によってキャッチ部８に圧入される。この圧入によって、当該被検体付着綿棒６の外端部は、キャッチ部８内にキャッチ（保持）されて、キャップ部２と綿棒６が一体化の状態とされる。
【００１５】
すなわち、本発明は、キャップ部２の閉塞操作によってキャップ部２と綿棒６とが所謂自然に一体化の状態となるようにされたものであって、当該一体化状態は所謂自動的に確保できる便利さを備えたものである。
【００１６】
このように一体化状態とされたキャップ部２は、これが容器本体１から外された場合には所謂綿棒６付きの状態で、当該綿棒に手指等を触れずに移動したりでき、衛生的に安全である。
【００１７】
なお、キャップ部２付き容器本体１は、試薬入りの状態または培地入りの状態で提供できる。また規格の綿棒の同梱セットとしても提供できる。勿論、何も入れない、セットとしない状態でも提供することが可能である。また、キャップ部２および容器本体１は、上記ポリプロピレン（Ｐ.Ｐ）に代る合成樹脂材料で構成することができる。
【００１８】
【発明の効果】
請求項１または２に係る検体用容器によれば、綿棒による被検体採取操作が失敗した場合には当該綿棒だけを廃棄すればよく上記▲１▼の問題点を完全に解消できる。また上記したように途中で折って用いる綿棒とセットで使用するようにすることができるので、上記▲２▼の問題点を解消することができる。
【００１９】
さらに、請求項３に係る検体用容器は、所謂ネジ式であるので、煮沸消毒等の加温消毒の場合にキャップ部が外れ飛ぶ等の事故を防止でき、上記▲３▼の問題点を解消することができる。
【図面の簡単な説明】
【図１】本発明の実施例を示す断面図である。
【図２】図１Ａ−Ａ線に創断面図である
【図３】同じく使用状態を示す断面図である。
【図４】同じく使用状態を示す断面分解図である。
【図５】他のキャッチ部の構成を示す断面図である。
【図６】同じく他のキャッチ部の構成を示す断面図である。
【符号の説明】
１  容器本体
２  キャップ部
３  雌のネジ
４  雄のネジ
５  案内凹部
６  綿棒
７  軸
８  キャッチ部
９  滑り面
１０  リブ状部
１２  折線
１３  余剰端部
１４  パイプ状部
１５  スリ割
【図１】
2004194539.tif 000003
【図２】
2004194539.tif 000004
【図３】
2004194539.tif 000005
【図４】
2004194539.tif 000006
【図５】
2004194539.tif 000007
【図６】
2004194539.tif 000008